(57)【要約】    【課題】    互いに平行に配置されその端部が４角形状をなすように斜材やパイプに直角方向に繋ぐ繋ぎ金具にて接したトラス又は多くのトラスを接続して長いトラスとする時に用いる前記構成の部分トラスにおいて、捩れが生じないようにする。    【解決手段】    前記トラス又は部分トラスにおいて、捩れ防止部材を設けたもので、この捩れ防止部材が、トラスを構成する４本のパイプのうちの対角線上に位置するパイプを接続する繋ぎ金具をクロスさせて設けた構成である。更にこの捩れ防止部材がクロスさせて設けた繋ぎ金具の位置に互いに隣接するパイプを接続する他の４本の繋ぎ金具を４角形状に設けたものである。これによりトラスの捩れを防止し得る。【選択図】            図１
2009275394.tif 000002
【特許請求の範囲】
【請求項１】
４本のパイプを斜材および直角繋ぎ金具にて熔接等により接合した端面が４角形状のトラスで、前記トラス内に少なくとも一つの捩れ防止部材を設けたことを特徴とする建造物のトラス構造。
【請求項２】
前記捩れ防止部材が対角線上に位置する二つのパイプを夫々熔接等の手段により互いにクロスさせて配置した２本の繋ぎ金具よりなることを特徴とする請求項１のトラス構造。
【請求項３】
前記捩れ防止部材が前記クロスさせた繋ぎ金具と、その位置において隣接するパイプを互いに直角に接続する４本の繋ぎ部材とよりなることを特徴とする請求項２のトラス構造。
【発明の詳細な説明】
【技術分野】
【０００１】
本発明は、建造物のトラス構造で、特に大きな建造物の屋根や梁等に用いられるトラス構造に関するものである。
【背景技術】
【０００２】
古い建築物を保護し、保存するために建築物全体を覆うことにより、雨、風等による建築物が破損することを防止する必要がある。その場合、建築物全体を覆いこれを保護することが可能な建造物は巨大なものとなる。
【０００３】
このような建造物をトラスを組み合わせて作成するためには、極めて長いトラスを必要とする。特に古い寺院等は大型な合掌造りの建築物がほとんどである。
【０００４】
このような合掌造りの建築物を保護するための建造物は、保護すべき建築物に合わせた形状とすることが望ましい。
【０００５】
又、合掌造りに限らず、各種形状の建築物を保護するためには、建築物全体を覆う必要があり、このような目的のために用いられる建造物は、一般に極めて大きなものにならざるを得ない。
【０００６】
このような巨大な建造物をトラスを用いて組立形成するためには、トラスの長さが長大なものとなる。
【０００７】
このような極めて長いトラスを連続した一つの長い材料を用いて製造することは極めて困難である。
【０００８】
そのため、長いトラスを分割して作成し、比較的短いトラスを接合することにより長いトラスにすることが考えられる。その場合も夫々の比較的短いトラスも、短いとはいえ一定の大きさとなる。そのために個々のトラスの強度を大にし、それらを熔接により接合することが考えられる。
【０００９】
しかし、このような巨大な建造物で、しかも屋根の部分等を形成するトラスを熔接にて接合するのは、高所での熔接が必要となり、事実上不可能に等しい。
そのため、部分トラスの端部に例えばボルト孔を有する接続板よりなる接続部分を設け、この接続板のボルト孔を利用して、二つの部分トラスをボルト締めにて接続することが考えられる。
【００１０】
このような部分トラスの一例を示すと、例えば図５、６、７に記載するトラスがある。
【００１１】
これら図に示す部分トラスは、４本の金属製パイプ（例えば４角パイプ）１１、１２、１３、１４を斜材１５と直角繋ぎ金具１６を熔接により接合することにより全体として４角形状をなす形状に作成されている。つまり、この部分トラス１０の上側の面は、図５の平面図に示すように２本のパイプ１１、１２を斜材１５と直角繋ぎ金具１６を交互に配置し、これら斜材１５、繋ぎ金具１６の両端をパイプ１１、１２に熔接等の手段にて接合している。又左右の側面部分を正面図である図６に示すように斜材１５のみにて、その傾斜方向を変化させて配置し、パイプ１１、１３に熔接等の手段にて固定してある。尚、側面部分の正面図に現れるのと反対部分は同様の形状で、パイプ１２、１４を接合した構成である。又、底面部分は図７に示すように、平面部分と同一形状、つまりパイプ１３、１４を斜材１５と繋ぎ金具１６にて熔接等により接合、固定した形状である。
【００１２】
このような形状の部分トラスの両端面には、４角形状の接続板にて形成されている接続部１７が熔接等により４本のパイプ１１、１２、１３、１４に固定されている。つまり、図５、６、７における１１ａ、１２ａ、１３ａ、１４ａおよび１１ｂ、１２ｂ、１３ｂ、１４ｂが図８に示す接続部１７である。
【００１３】
この接続部は、図８に示すように、その中心に対して円周状に配置され全体として対称状に形成されたボルト締め用の孔１７ａが形成されており、この孔１７ａを利用してボルト締めにて固定される。即ち、接続すべき二つの部分トラスを、夫々の４角パイプの短部に設けられている接続部を互いに接触させた上で前記の孔１７ａを利用してボルト締めするもので、このようにして順次部分トラスを接続して長いトラスを形成する。
【００１４】
以上のように、本発明のトラスは、比較的短い部分トラスをボルト締めにて固定して長いトラスを形成するもので、例えば図９や図１０に示すような巨大な建造物の梁等を形成する場合、高所での接続が可能である。
【００１５】
このようなトラス構造は、部分トラス自体は比較的短いものの、これら部分トラスを接続して長いトラスにした場合、各方向への荷重その他の力が加わり、十分な強度を持たせる必要がある。
【発明の開示】
【発明が解決しようとする課題】
【００１６】
この図５、６、７に示すような部分トラス又は同様の構成の単独にて用いるトラスは、前述のように比較的強度のある金属性の４角パイプを斜材や繋ぎ金具を熔接等にて接合した構造であるため、上下方向や水平方向の力に対しては、比較的強度が大であり、一般に用いられるトラスにて所望の十分な強度を持たせることが可能である。
【００１７】
しかし捩れ方向の力に対しては、十分な強度を有するとはいえず、捩れ方向に大きな力が加わった場合、強度上若干問題がある。特に、部分トラスを接続して極めて長いトラスにして用いる場合、極めて大きな捩れ方向の力が加わることが考えられる。その場合、図５、６、７に示すような構造のトラスでは、強度上の問題が生ずることがある。
【００１８】
本発明は、単独にて用いるトラスや部分トラスをその両端部分にて接合して長いトラスを構成するトラス構造であって、各トラスが互いに平行に配置された４本のパイプを斜材や繋ぎ金具にて接合した端面が４角形状で、捩れ方向の力に対しても十分な強度を有するトラス構造を提供するものである。
【課題を解決するための手段】
【００１９】
本発明のトラス構造は、４本のパイプを斜材および直角繋ぎ金具にて熔接等により接合した端面が４角形状のトラスで、前記トラス内に少なくとも一つの捩れ防止部材を設けたことを特徴とする。
【００２０】
又、本発明のトラス構造における捩れ防止部材は、対角線上に位置する二つのパイプを夫々熔接等の手段により互いにクロスさせて配置した２本の繋ぎ金具よりなる。
【００２１】
更に、捩れ防止部材が前記クロスさせた繋ぎ金具と、その位置において隣接するパイプを互いに直角に接続する４本の繋ぎ部材とよりなることが望ましい。
又、本発明のトラス構造は、部分トラスを接続して長いトラスにし得るもので、部分トラスが４本の金属パイプを斜材や繋ぎ金具を熔接等により接合したもので、この部分トラスに少なくとも一つの捩れ防止部材を熔接等の手段にて接合固定した構造で、この捩れ防止部材により部分トラスを接続して長いトラスとして大きな建造物とした場合もトラスに捩れが生じないようにしたことを特徴とする。
【００２２】
この発明にて用いられる捩れ防止部材は、前記のように部分トラスを構成する４本の各パイプのうち対角線上に位置する２本の各パイプに熔接等の手段により接合した２本の繋ぎ金具を互いにクロスさせた構成であって、これにより捩れを防止することが可能になる。
【００２３】
このようなクロスさせて接合した捩れ防止部材を複数配置することによりほぼ完全な捩れ防止が可能になる。
【００２４】
更に、捩れ防止部材として前記のクロスさせた繋ぎ金具を接合した同じ位置に上方の２本のパイプと下方の２本のパイプを水平方向に結ぶ繋ぎ金具を熔接等にて接合し、同様に前方と後方の夫々上下２本のパイプを垂直方向に結ぶ繋ぎ金具を熔接等により接合することにより、捩れ防止効果が一層増大する。
【発明の効果】
【００２５】
本発明は、４本の各パイプを斜材、繋ぎ金具にて接合した構成で更に２本の繋ぎ金具をクロスさせてパイプに接合させることにより捩れの生じない効果を有する。特に部分トラスを接続して長いトラスとした場合も、捩れに強い構造になし得るという効果を有する。
【発明を実施するための最良の形態】
【００２６】
本発明の実施の形態を図示する実施例にもとづいて説明する。
【実施例１】
【００２７】
本発明の実施例１は、図１に示す通りで、図１に示す捩れ防止部材を有するものである。
【００２８】
この実施例１は、図５、６、７に示す部分トラスに本発明の捩れ防止部材を設けた実施例である。
【００２９】
したがって、部分トラスの具体的な構成は図５、６、７に示す従来例と実質的に同じである。
【００３０】
次にこの実施例１の構造を具体的に説明する。
【００３１】
尚、前記のように部分トラスは、図５、６、７と同じであるが、ここで繰り返し簡単に説明する。
【００３２】
本発明の実施例１は、図２、３、４に示すような構成で部分トラスが図５、６、７に示すものと同じ構成である。
【００３３】
つまり、図２、３、４は夫々実施例１の部分トラスの平面図、正面図、底面図である。
【００３４】
これら図に示すように、端面が４角形状に互いに平行に並び配置された４本の角パイプ１１、１２、１３、１４を斜材１５と繋ぎ金具１６とにより接合した構成の部分トラスである。そして各パイプの両端部に夫々接続板１１ａ，１１ｂ，１２ａ，１２ｂ，１３ａ，１３ｂ，１４ａ，１４ｂが固定されており、この接続板を用いてボルト締めすることにより、部分パイプを順次接続して長いパイプとする。
【００３５】
この図２、３、４に示す実施例１では、図１に示すようなクロスさせた繋ぎ金具１、２と、パイプ１１、１３及びパイプ１２、１４を垂直方向に接合する繋ぎ金具３、５とパイプ１１、１２及びパイプ１３、１４を水平方向に接合する繋ぎ金具４、６を熔接等の手段にて接合してある。そして部分トラス中の、これら繋ぎ金具の位置即ち捩れ防止部をこの実施例１では、図２、３、４の符号７に示す位置に設けている。
【００３６】
ここで、この実施例１は、捩れ防止部が図１に示すようにクロスさせた繋ぎ金具を囲むように４角形状に水平、垂直の繋ぎ金具を有する構成であるが、配置位置によってはクロスした繋ぎ金具のみでもある程度の捩れ防止が可能なこともある。
【００３７】
例えば、４本のパイプを接合する斜材や直角方向の繋ぎ金具の構成によりパイプに対して上下方向や水平方向に対する力が比較的強い箇所やその近傍に本発明の捩れ防止部材を用いる場合、その構成はクロスした繋ぎ金具のみにても捩れ防止効果が得られる。
【００３８】
しかし、この実施例１つまり図１に示す捩れ防止部を用いればより完全な捩れ防止効果が得られる。
【００３９】
又、実施例１の部分トラスは、端面形状がほぼ正方形状であるが、上下方向が長い又は水平方向が長い長方形状や台形状の部分トラスにも本発明の捩れ防止部材を用いることができる。
【００４０】
又、トラス自体の構造（斜材、繋ぎ金具による４本のパイプの結合の仕方等）も、図２、３、４に示す実施例１に示すトラスに限ることなく、他の構造のトラスでもよい。
【産業上の利用可能性】
【００４１】
本発明のトラス構造は、建造物の梁等に用いるもので、捩れ防止部材を設けたことにより、あらゆる方向の力に対して十分な強度を有する。特に比較的長いトラスや部分トラスを接続して長いトラスとして用いる場合等においてその効果をより発揮し得る。
【図面の簡単な説明】
【００４２】
【図１】本発明のトラス構造で用いる捩れ防止部材の構成を示す図
【図２】本発明の実施例１の平面図
【図３】本発明の実施例１の正面図
【図４】本発明の実施例１の底面図
【図５】従来の部分トラスの平面図
【図６】従来の部分トラスの正面図
【図７】従来の部分トラスの底面図
【図８】前記部分トラスの接続部分の構成を示す図
【図９】本発明のトラス構造を適用し得る建造物の一例を示す図
【図１０】本発明のトラス構造を適用し得る建造物の他の例を示す図
【符号の説明】
【００４３】
１、２、３、４、５、６    繋ぎ金具
７                        捩れ防止部材
１１、１２、１３、１４    角パイプ
１５                      斜材
１６                      繋ぎ金具
【図１】
2009275394.tif 000003
【図２】
2009275394.tif 000004
【図３】
2009275394.tif 000005
【図４】
2009275394.tif 000006
【図５】
2009275394.tif 000007
【図６】
2009275394.tif 000008
【図７】
2009275394.tif 000009
【図８】
2009275394.tif 000010
【図９】
2009275394.tif 000011
【図１０】
2009275394.tif 000012